(57)【要約】【課題】本発明は、物品に対し簡単に着脱できるとともに、巻き終わり端部の剥がれを確実に防止することができ、しかも、握り易い被覆具を得ることにある。【解決手段】被覆具(20)は、巻き始め端部(23)および巻き終わり端部(24)を有する本体(21)と、本体(21)の巻き終わり端部(24)に設けられた第１の係合部(29)と、本体(21)に設けられ、第１の係合部(29)が剥離可能に係合する第２の係合部(30)とを備えている。第２の係合部(30)は、本体(21)の側縁から本体(21)の幅方向に張り出している。本体(21)を物品(1)に巻き付けた時に、第１の係合部(29)を第２の係合部(30)に重ね合わせて係合させることにより、本体(21)の巻き終わり端部(24)を物品(1)に保持する。【選択図】      図７
2007151411.tif 000002
【特許請求の範囲】
【請求項１】
手で握る物品に螺旋状に巻き付ける被覆具であって、
巻き始め端部および巻き終わり端部を有する本体と、
上記本体の巻き終わり端部に設けられた第１の係合部と、
上記本体に設けられ、上記第１の係合部が剥離可能に係合する第２の係合部と、を具備し、
上記第２の係合部は、上記本体の側縁から上記本体の幅方向に張り出しており、上記本体を上記物品に巻き付けた時に、上記第２の係合部に上記第１の係合部を重なり合うように係合させることで、上記本体の巻き終わり端部を上記物品に保持することを特徴とする被覆具。
【請求項２】
請求項１の記載において、上記第１の係合部および第２の係合部は、夫々面ファスナーにより形成されていることを特徴とする被覆具。
【請求項３】
請求項１又は請求項２の記載において、上記第１および第２の係合部は、上記本体よりも小さな厚み寸法を有することを特徴とする被覆具。
【請求項４】
請求項１の記載において、上記本体の巻き終わり端部は、その先端の方向に進むに従い幅寸法が狭く形成されているとともに、上記第２の係合部は、上記巻き終わり端部の方向に進むに従い幅寸法が狭く形成されていることを特徴とする被覆具。
【請求項５】
請求項４の記載において、上記第１の係合部および上記第２の係合部は、互いに相似形をなしていることを特徴とする被覆具。
【請求項６】
請求項１の記載において、上記本体は、上記本体の幅方向に向かい合う一対の側縁部と、これら側縁部の間に位置する中央部とを含み、少なくとも一方の側縁部は、上記中央部よりも厚み寸法が小さく形成されていることを特徴とする被覆具。
【請求項７】
請求項６の記載において、上記本体は、その側縁部が互いに重なるように上記物品に巻き付けられることを特徴とする被覆具。
【請求項８】
請求項１の記載において、上記本体は、上記物品に接する第１の面と、この第１の面の反対側に位置する第２の面とを有し、上記第１の面および上記第２の面の少なくともいずれか一方に複数の係止部が形成されていることを特徴とする被覆具。
【請求項９】
請求項１の記載において、上記本体は、上記巻き始め端部から上記第２の係合部に至る巻回領域と、上記第２の係合部から上記巻き終わり端部に至る固定領域とを有し、上記巻回領域の幅寸法は、１５mm〜３５mmの範囲内にあり、上記巻回領域の長さは、上記固定領域の長さの二倍以上に規定されていることを特徴とする被覆具。
【請求項１０】
請求項１又は請求項９の記載において、上記第２の係合部は、上記物品に対する上記本体の一巻き分の長さに相当する距離だけ上記巻き終わり端部から上記巻き始め端部の方向に離れた位置に設けられていることを特徴とする被覆具。
【請求項１１】
請求項１の記載において、上記第１の係合部および上記第２の係合部は、上記本体を上記物品に螺旋状に巻き付けた時に、互いに向かい合う面を有することを特徴とする被覆具。
【請求項１２】
手で握る物品に螺旋状に巻き付ける被覆具であって、
巻き始め端部および巻き終わり端部を有する本体と、
上記本体の巻き終わり端部に設けられた第１の係合部と、
上記本体に設けられ、上記第１の係合部が剥離可能に係合する第２の係合部と、を具備し、
上記第２の係合部は、上記第１の係合部よりも上記巻き始め端部の方向に離れた位置で上記本体の側縁から上記本体の幅方向に張り出す延出部を含み、上記本体を上記物品に巻き付けた時に、上記延出部に上記第１の係合部を重なり合うように係合させることで、上記本体の巻き終わり端部を上記物品に保持することを特徴とする被覆具。
【請求項１３】
手で握る物品に螺旋状に巻き付ける被覆具であって、
巻き始め端部および巻き終わり端部を有する本体と、
上記本体の巻き終わり端部に設けられ、上記本体に剥離可能に係合する係合部と、を具備し、
上記係合部は、上記本体の側縁から上記本体の幅方向に張り出す延出部を含み、上記本体を上記物品に巻き付けた時に、上記延出部を上記本体に重なり合うように係合させることで、上記本体の巻き終わり端部を上記物品に保持することを特徴とする被覆具。
【請求項１４】
請求項１２又は請求項１３の記載において、上記延出部は、上記本体よりも小さな厚み寸法を有することを特徴とする被覆具。
【請求項１５】
請求項１３の記載において、上記本体は、上記巻き終わり端部よりも上記巻き始め端部の方向に離れた位置に、上記係合部の延出部が剥離可能に係合する他の係合部を有することを特徴とする被覆具。
【請求項１６】
手で握る物品に螺旋状に巻き付ける被覆具であって、
巻き始め端部および巻き終わり端部を有する本体と、
上記本体に設けられ、上記巻き終わり端部が剥離可能に係合する係合部と、を具備し、
上記係合部は、上記巻き終わり端部よりも上記巻き始め端部の方向に離れた位置で上記本体の側縁から上記本体の幅方向に張り出しており、上記本体を上記物品に巻き付けた時に、上記本体の巻き終わり端部を上記係合部に重なり合うように係合させることで、上記本体の巻き終わり端部を上記物品に保持することを特徴とする被覆具。
【請求項１７】
手で握る把持部に巻き付けて使用する被覆具を備える把持用品であって、
上記被覆具は、
(i)巻き始め端部および巻き終わり端部を有する本体と、
(ii)上記本体の巻き終わり端部に設けられた第１の係合部と、
(iii)上記本体に設けられ、上記第１の係合部が剥離可能に係合する第２の係合部と、を具備し、
上記第２の係合部は、上記本体の側縁から上記本体の幅方向に張り出しており、上記本体を上記把持部に巻き付けた時に、上記第２の係合部に上記第１の係合部を重なり合うように係合させることで、上記本体の巻き終わり端部を上記把持部に保持することを特徴とする把持用品。
【発明の詳細な説明】
【技術分野】
【０００１】
本発明は、例えば釣竿、ゴルフクラブシャフトあるいはテニスラケットのような手で握る物品に螺旋状に巻き付けて使用する被覆具、およびこの被覆具を備える釣用品あるいはスポーツ用品のような把持用品に係り、特に被覆具の巻き終わり端部の剥離を防止するための構造に関する。
【背景技術】
【０００２】
例えば、釣竿は、元竿管の手元側の端部に手で把持するグリップを有している。グリップは、例えば発泡性樹脂材料やコルクのような柔軟な材料で形成されているとともに、手で把持し易いような円筒状をなしている。
【０００３】
実際に魚釣を行なうに当っては、釣人は釣竿のグリップあるいは魚釣用リールを固定したリールシートの部分を手で把持して釣竿を操作する。この際、手の滑りを防止したり、あるいはグリップ感を良くするため、釣竿のグリップやリールシートの外周面に柔軟なグリップテープを螺旋状に巻き付けることがある。
【０００４】
従来のグリップテープは、例えばゴムあるいはエラストマー樹脂のような弾性を有する材料で造られている。グリップテープは、釣竿のグリップあるいはリールシートのような手で握る部分（以下、把持部と称する）の外周面に螺旋状に巻き付けられるような長さ寸法を有するとともに、巻き始め端部および巻き終わり端部を備えている。
【０００５】
この種のグリップテープは、側縁部が一定の幅で重なり合うように巻き始め端部から釣竿の把持部に巻き付けられている。これにより、把持部に対するグリップテープの緩みや剥がれが抑えられている。
【０００６】
グリップテープの巻き終わり端部は、最後に把持部の外周面に巻き付けられるので、この巻き終わり端部を上から押さえることができなくなる。この結果、グリップテープの巻き終わり端部が把持部から剥がれたり、浮き上がり易くなる。
【０００７】
そのため、例えば特許文献１に示す釣竿では、グリップテープの巻き終わり端部をグリップの後端に取り付けた尻栓のフランジ部で覆っている。さらに、特許文献２に示す釣竿では、グリップテープの巻き終わり端部を粘着剤を介してリールシートに貼り付けている。
【特許文献１】特開２００２−１５３１７１号公報
【特許文献２】特開２００３−２１９７７０号公報
【発明の開示】
【発明が解決しようとする課題】
【０００８】
特許文献１に開示された釣竿によると、グリップテープの巻き終わり端部を専用の尻栓で覆っているので、グリップテープをグリップに巻き付ける時に、尻栓をグリップから外したり、再びグリップに取り付けるといった格別な作業を必要とする。このため、グリップテープの巻き終わり端部の処理に手間がかかり、グリップテープを簡単に着脱することができなくなる。
【０００９】
さらに、尻栓がグリップテープの巻き終わり端部の剥がれを防止する必須の構成要素となるので、グリップテープを巻き付けることができる物品が大幅に制限されてしまう。よって、グリップテープの汎用性が低下するといった不具合がある。
【００１０】
一方、特許文献２に開示された釣竿によると、グリップテープの着脱を繰り返した場合に、粘着剤の粘着力が低下するのを避けられない。この結果、グリップテープの巻き終わり端部が剥がれ易くなり、グリップテープを巻きつける場所を頻繁に変更したり、グリップテープの着脱を繰り返すような使用形態には不向きとなるといった問題がある。
【００１１】
本発明の目的は、物品に対し簡単に着脱できるとともに、巻き終わり端部の剥がれを確実に防止することができ、しかも、握り易い被覆具を得ることにある。
【００１２】
本発明の他の目的は、把持部に対して被覆具を簡単に着脱できるとともに、被覆具の巻き終わり端部の剥がれを確実に防止することができ、しかも、握り易い把持用品を得ることにある。
【課題を解決するための手段】
【００１３】
上記目的を達成するため、本発明の一つの形態に係る被覆具は、  
巻き始め端部および巻き終わり端部を有する本体と、  
上記本体の巻き終わり端部に設けられた第１の係合部と、  
上記本体に設けられ、上記第１の係合部が剥離可能に係合する第２の係合部と、を備えている。  
上記第２の係合部は、上記本体の側縁から上記本体の幅方向に張り出しており、上記本体を物品に巻き付けた時に、上記第２の係合部に上記第１の係合部を重なり合うように係合させることで、上記本体の巻き終わり端部を上記物品に保持することを特徴としている。
【００１４】
上記目的を達成するため、本発明の一つの形態に係る把持用品は、  
手で握る把持部に巻き付けて使用する被覆具を備えている。  
上記被覆具は、  
(i)巻き始め端部および巻き終わり端部を有する本体と、  
(ii)上記本体の巻き終わり端部に設けられた第１の係合部と、  
(iii)上記本体に設けられ、上記第１の係合部が剥離可能に係合する第２の係合部と、を含んでおり、  
上記第２の係合部は、上記本体の側縁から上記本体の幅方向に張り出しており、上記本体を上記把持部に巻き付けた時に、上記第２の係合部に上記第１の係合部を重なり合うように係合させることで、上記本体の巻き終わり端部を上記把持部に保持することを特徴としている。
【発明の効果】
【００１５】
本発明によれば、簡単な作業で本体の巻き終わり端部の剥がれや浮き上がりを防止でき、本体の巻き終わり端部を物品に確実に保持することができる。そのため、物品に対する被覆具の着脱作業を容易に行なうことができ、被覆具を巻き付ける箇所を頻繁に変更したり、被覆具の着脱を繰り返すような使用形態にも無理なく対応することができる。
【００１６】
さらに、本体を物品に巻き付けた時に、本体の巻き終わり端部に物品の外側に張り出すような段差が生じ難くなり、手で握り易い形状となる。
【発明を実施するための最良の形態】
【００１７】
以下本発明の第１の実施の形態を、図１ないし図９にもとづいて説明する。
【００１８】
図１は、手で握る物品（把持用品）の一例である投竿１を開示している。投竿１は、元竿２および先側節３を備えている。元竿２の後端部にグリップ４および尻栓５が取り付けられている。グリップ４は、例えばＥＶＡ、コルクあるいは発泡性樹脂のような柔軟な材料で造られており、釣人が手で握り易いような円筒状に形成されている。尻栓５は、グリップ４の後端に位置している。
【００１９】
先側節３は、先竿６を有している。先竿６の外周面に釣糸をガイドする複数の釣糸ガイド７が固定されている。釣糸ガイド７は、先竿６の後部からトップガイド８に向けて互いに間隔を存して一列に並んでいる。釣糸ガイド７は、先竿６に固定するものに限らず、例えば先竿６の軸方向に移動可能としてもよい。
【００２０】
図３に示すように、元竿２はリールシート１０を備えている。リールシート１０は、投竿１に魚釣用リール１１を取り外し可能に固定するためのものであり、グリップ４の前方に位置している。魚釣用リール１１は、リール脚１２を備えている。リール脚１２は、魚釣用リール１１とは反対側の端部に投竿１の軸方向に延びる係止片１３を有している。
【００２１】
リールシート１０は、リール脚１２の係止片１３を受ける載置面１５と、この載置面１５に係止片１３を保持する固定フード１６および可動フード１７とを備えている。固定フード１６は、リールシート１０と一体化されて載置面１５の前端に位置している。可動フード１７は、載置面１５の上で固定フード１６と向かい合っている。可動フード１７は、固定フード１６に近づいたり遠ざかる方向にスライド可能にリールシート１０に保持されている。
【００２２】
魚釣用リール１１をリールシート１０に固定するには、まず、リール脚１２の係止片１３を載置面１５の上に載置し、係止片１３の前端１３ａを固定フード１６に挿入する。次に、可動フード１７を固定フード１６に向けてスライドさせ、この可動フード１７を係止片１３の後端１３ｂに被せて固定する。これにより、リール脚１２の係止片１３が両フード１６，１７を介して載置面１５に押し付けられ、魚釣用リール１１がリールシート１０に固定される。
【００２３】
図３に示すように、魚釣用リール１１をリールシート１０に固定した状態では、リール脚１２が載置面１５から投竿１の径方向外側に向けて突出している。実際に魚釣を行なうに際して、釣人はリール脚１２を中指と薬指との間で挟み込んだ状態でリールシート１０を握ったり、あるいは元竿２のグリップ４を握った状態で投竿１を操作する。
【００２４】
よって、本実施の形態では、グリップ４およびリールシート１０が手で握る把持部として機能している。
【００２５】
図１ないし図３に示すように、本実施形態の投竿１は、魚釣用リール１１を固定したリールシート１０およびグリップ４に夫々被覆具２０を巻き付けている。被覆具２０は、例えばグリップ感をよくしたり、手の滑りを防止する際に使用するものであって、いわゆるグリップテープと称している。被覆具２０は、適度な弾性と伸縮性を有するとともに、自由に曲げたり捻ることができるような柔軟性を有している。
【００２６】
図４に示すように、被覆具２０は、その主要部となるテープ状の本体２１を備えている。本体２１は、例えばゴム、エラストマー樹脂あるいは皮のような手で触れた時の感触がよく、しかも上記把持部よりも摩擦抵抗が大きな材料で造られており、把持部に螺旋状に巻き付けられるだけの長さ寸法を有している。
【００２７】
本体２１は、その幅寸法Ｌが１５mm〜３５mm、好ましくは２０mm〜３０mmに設定され、厚み寸法Ｔが０．８mm〜１．５mm、好ましくは１．０mm〜１．３mmに設定されている。このため、本体２１は、幅寸法Ｌに比べて厚み寸法Ｔが極端に小さい偏平な断面形状を有するとともに、その厚み寸法Ｔが本体２１の全長および全幅に亘って一定となっている。
【００２８】
本体２１は、第１および第２の側縁部２２ａ，２２ｂを有している。第１および第２の側縁部２２ａ，２２ｂは、本体２１の長手方向に延びるとともに、この本体２１の幅方向に互いに向かい合っている。言い換えると、第１および第２の側縁部２２ａ，２２ｂは、本体２１の長手方向に沿って互いに平行に並んでいる。
【００２９】
さらに、本体２１は、巻き始め端部２３と巻き終わり端部２４とを有している。巻き始め端部２３および巻き終わり端部２４は、本体２１の長手方向に互いに離間している。第１の側縁部２２ａは、巻き始め端部２３に連なる第１の端部２５ａと、巻き終わり端部２４に連なる第２の端部２５ｂとを有している。
【００３０】
第１の端部２５ａは、巻き始め端部２３の先端の方向に進むに従い第２の側縁部２２ｂに近づくように傾斜している。この傾斜により、巻き始め端部２３では、本体２１の幅寸法Ｌが巻き始め端部２３の先端の方向に進むに従い次第に狭くなっている。
【００３１】
同様に、第２の端部２５ｂは、巻き終わり端部２４の先端の方向に進むに従い第２の側縁部２２ｂに近づくように傾斜している。この傾斜により、巻き終わり端部２４では、本体２１の幅寸法Ｌが巻き終わり端部２４の先端の方向に進むに従い次第に狭くなっている。したがって、本体２１の巻き始め端部２３および巻き終わり端部２４は、夫々先細り状に尖っている。
【００３２】
本体２１は、第１の面２６と第２の面２７とを有している。第１の面２６は、本体２１を把持部に巻き付けた時に把持部の外周面に接するとともに、第２の面２７は、把持部の外に露出するようになっている。
【００３３】
図４に示すように、本体２１に第１の係合部２９および第２の係合部３０が設けられている。第１の係合部２９は、例えばマジックテープ（登録商標）のような面ファスナーによって形成されており、本体２１の巻き終わり端部２４に位置している。
【００３４】
第１の係合部２９に用いる面ファスナーは、シート状のベース３１と、このベース３１に設けられた複数の微細なループ３２とを備えている。ベース３１は、巻き終わり端部２４の形状に合致するような三角形状をなすとともに、本体２１の第１の面２６に例えば縫い込み、接着あるいは溶着等の手段により固定されている。ベース３１は、本体２１の第１の面２６の上に露出する平坦な面３１ａを有している。複数のループ３２は、ベース３１の面３１ａに配置されて、本体２１の第１の面２６の上に露出している。
【００３５】
第２の係合部３０は、第１の係合部２９と同様に面ファスナーによって形成されている。第２の係合部３０に用いる面ファスナーは、シート状のベース３３と、このベース３３に設けられた複数の微細なフック３４とを備えている。
【００３６】
ベース３３は、本体２１の第１の面２６に重なり合うとともに、例えば縫い込み、接着あるいは溶着等の手段により本体２１に固定されている。ベース３３は、延出部３５を有している。延出部３５は、本体２１の第１の側縁部２２ａから本体２１の幅方向に沿って張り出している。延出部３５の側縁は、巻き終わり端部２４の方向に進むに従い本体２１の第１の側縁部２２ａに近づく方向に傾斜している。
【００３７】
この傾斜により、延出部３５は、巻き終わり端部２４の方向に進むに従い幅が狭く形成されている。本実施の形態では、第２の係合部３０の延出部３５と第１の係合部２９とが互いに相似する三角形状をなしている。ここで相似とは、形状が完全に一致する場合と、形状が部分的に不一致の場合の双方を含んでいる。したがって、延出部３５と第１の係合部２９の形状が厳密に一致する必要はない。
【００３８】
ベース３３の延出部３５は、本体２１の第２の面２７と同じ方向を指向する平坦な面３５ａを有している。複数のフック３４は、延出部３５の面３５ａに配置されている。フック３４は、第１の係合部２９を延出部３５に重ねた時にループ３２に剥離可能に引っ掛かる。これにより、延出部３５の面３５ａと第１の係合部２９の面３１ａとが互いに向かい合った状態で結合される。
【００３９】
さらに、ループ３２を有する第１の係合部２９およびフック３４を有する第２の係合部３０は、本体２１よりも厚み寸法が小さく形成されている。
【００４０】
第２の係合部３０は、第１の係合部２９よりの巻き始め端部２３の方向に離れた位置に設けられている。第１の係合部２９の巻き始め端部２３側の一端から第２の係合部３０のまき始め端部２３側の一端までの距離Ｓは、把持部に対する本体２１の一巻き分の長さに相当する。
【００４１】
この一巻き分の長さとは、第１の係合部２９の一端と第２の係合部３０の一端とが重なり合う位置から、第１の係合部２９の一端とは反対側の他端が第２の係合部３０の一端と重なり合う位置までの範囲のことであって、本体２１が把持部を一周した時に、第１の係合部２９と第２の係合部３０との少なくとも一部が重なり合うのを許容し得る長さのことを意味している。
【００４２】
図４の（Ｃ）に示すように、本体２１は、巻回領域Ｒ１と固定領域Ｒ２とを有している。巻回領域Ｒ１は、グリップ４あるいはリールシート１０のような把持部に螺旋状に巻き付けられる領域であって、本体２１の巻き始め端部２３の先端と第２の係合部３０の巻き始め端部２３側の一端との間で規定されている。固定領域Ｒ２は、本体２１を上記把持部に固定するための領域であって、上記第２の係合部３０の巻き始め端部２３側の一端と本体２１の巻き終わり端部２４の先端との間で規定されている。本実施の形態では、巻回領域Ｒ１は、固定領域Ｒ２の二倍以上の長さを有している。
【００４３】
次に、被覆具２０をグリップ４に螺旋状に巻き付ける手順について説明する。
【００４４】
図５に示すように、被覆具２０は、本体２１の巻き始め端部２３をグリップ４の前端に仮止めした状態で尻栓５に向けて巻き始める。この際、本体２１は、真っ直ぐな第２の側縁部２２ｂを本体２１の巻き進み方向とは反対側に位置させるとともに、第２の側縁部２２ｂがグリップ４の軸線と直交するような向きでグリップ４に巻き付けていく。
【００４５】
こうすることにより、本体２１の巻き始め端部２３をグリップ４に巻き付けた状態では、本体２１の巻き付け方向に沿って本体２１の幅が次第に広がるとともに、本体２１の第１の側縁部２２ａの第１の端部２５ａがグリップ４の軸線に対して傾斜する。
【００４６】
言い換えると、巻き始め端部２３の先端が先細り状に尖っているので、この巻き始め端部２３の先端が本体２１の巻き進み方向とは反対側に飛び出すのを防止することができる。さらに、巻き始め端部２３の先端を、グリップ４を一周した本体２１で上から完全に覆うように巻き込むことができる。このため、本体２１の巻き始め端部２３が解け難くなる。
【００４７】
本体２１がグリップ４を一周したら、本体２１を第１の側縁部２２ａの第１の端部２５ａの傾斜方向に沿うように引張りながら、第２の側縁部２２ｂが第１の側縁部２２ａの上に所定の幅で重なるように順次グリップ４に巻き付けていく。
【００４８】
この結果、本体２１のうち既にグリップ４に巻かれた部分は、本体２１の後から巻かれる部分によって順々にグリップ４に押さえ込まれることになり、本体２１が解け難くなる。
【００４９】
図６および図７に示すように、本体２１の巻き付けが進展するに従い、グリップ４の外周面上にグリップ４の軸方向に一列に並ぶ複数のループ部３８が形成される。隣り合うループ部３８の間では、本体２１の第１の側縁部２２ａの上に第２の側縁部２２ｂが所定の幅で重なり合っている。このため、隣り合うループ部３８の境界部分には、本体２１の厚み寸法Ｔに対応する段差が形成され、この段差はグリップ４の軸方向に沿って螺旋状に連続している。
【００５０】
図７に示すように、本体２１の全ての巻回領域Ｒ１をグリップ４に巻き付けた状態では、第２の係合部３０の延出部３５がグリップ４の外周面に重なり合うとともに、この延出部３５のフック３４がグリップ４の上に露出している。この状態で本体２１の固定領域Ｒ２をグリップ４に巻き付けるように一周させると、本体２１の巻き終わり端部２４が第２の係合部３０の延出部３５の上に重なり合う。
【００５１】
本実施の形態では、巻き終わり端部２４と延出部３５とは互いに相似形であるので、巻き終わり端部２４が延出部３５の周囲に食み出し難くなる。すなわち、図２および図８に示すように、巻き終わり端部２４は、本体２１の第１の側縁部２２ａのうち延出部３５に対応する部分に突き当てられた状態でグリップ４に巻き付けられ、巻き終わり端部２４が既にグリップ４に巻き付けられた本体２１の上に重なり合うことはない。
【００５２】
巻き終わり端部２４が第２の係合部３０の延出部３５の上に重なり合うと、この巻き終わり端部２４に固定された第１の係合部２９が延出部３５と合致する。これにより、延出部３５の面３５ａに位置するフック３４と第１の係合部２９の面３１ａに位置するループ３２とが互いに噛み合うように係合する。
【００５３】
この結果、巻き終わり端部２４が延出部３５に結合され、グリップ４に対する被覆具２０の取り付けが完了する。
【００５４】
次に、被覆具２０をリールシート１０に巻き付ける手順について説明する。
【００５５】
被覆具２０は、リールシート１０に魚釣用リール１１のリール脚１２を固定した後、リールシート１０やリール脚１２の係止片１３を覆うように螺旋状に巻き付ける。この巻き付けに当って、本実施の形態では、本体２１の巻き始め端部２３をリールシート１０の後端部に仮止めした状態でリールシート１０の前端部に向けて巻き進み、この本体２１でリール脚１２の係止片１３、載置面１５、固定フード１６および可動フード１７を連続して覆い隠す。この本体２１の巻き付け手順は、上記グリップ４に対する本体２１の巻き付け手順と同じであればよく、これにより本体２１が解け難くなる。
【００５６】
本体２１の全ての巻回領域Ｒ１をリールシート１０に巻き付けた後、本体２１の固定領域Ｒ２をリールシート１０に巻き付けるように一周させると、本体２１の巻き終わり端部２４と第２の係合部３０の延出部３５とが重なり合う。これにより、延出部３５の面３５ａに位置するフック３４と第１の係合部２９の面３１ａに位置するループ３２とが互いに噛み合うように係合する。
【００５７】
よって、本体２１の巻き終わり端部２４が延出部３５に結合され、リールシート１０に対する被覆具２０の取り付けが完了する。
【００５８】
このような本発明の第１の実施の形態によれば、被覆具２０をグリップ４あるいはリールシート１０のような把持部に巻き付けた時に、その巻き付け工程の最終段階で第２の係合部３０の延出部３５が把持部の外周面に位置する。このため、本体２１の固定領域Ｒ２を把持部の周方向に沿って一周させると、巻き終わり端部２４に位置する第１の係合部２９が延出部３５の上に面接触状態で重なり合い、ループ３２とフック３４との噛み合いによって本体２１の巻き終わり端部２４が把持部に保持される。
【００５９】
したがって、第１の係合部２９と第２の係合部３０とを単に重ね合わせるだけの作業で、本体２１の巻き終わり端部２４の剥がれや浮き上がりを防止できるとともに、本体２１の巻き終わり端部２４を把持部に取り外し可能に保持することができる。
【００６０】
よって、把持部に対する被覆具２０の着脱作業を簡単かつ速やかに行うことができ、たとえ釣の最中であっても、釣人が必要とすべき場所に被覆具２０を自由に巻き付けたり、逆に取り外すことが可能となる。
【００６１】
さらに、本実施の形態によると、第１の係合部２９と第２の係合部３０とは、ループ３２とフック３４とを剥離可能に噛み合わせることで互いに面接触状態を維持している。このため、本体２１の着脱を繰り返しても、第１の係合部２９と第２の係合部３０との係合力が低下することはなく、被覆具２０を巻き付ける箇所を頻繁に変更したり、被覆具２０の着脱を繰り返すような使用形態にも無理なく対応できる。
【００６２】
それとともに、第１の係合部２９と第２の係合部３０の延出部３５とは、互いに相似形をなしているので、これら両者が合致するように本体２１の巻き終わり端部２４を把持部に巻き付けることができる。このため、第１の係合部２９と延出部３５との接触面積を十分に確保でき、本体２１の巻き終わり端部２４が剥がれ難くなる。
【００６３】
加えて、本体２１の巻き終わり端部２４を固定する際に、巻き終わり端部２４に位置する第１の係合部２９は、第２の係合部３０の延出部３５に重なり合い、本体２１の第１の側縁部２２ａに対しては、単に突き当った状態に保たれる。第１および第２の係合部２９，３０は、本体２１よりも厚み寸法が遥かに小さいので、本体２１の巻き終わり端部２４での被覆具２０の厚みを、本体２１を重ね合わせた場合の厚みよりも薄く抑えることができる。
【００６４】
この結果、本体２１の巻き終わり端部２４にグリップ４あるいはリールシート１０の径方向外側に張り出すような段差が生じ難くなり、手で握り易い形状とすることができる。それとともに、巻き終わり端部２４に手や衣類あるいは釣糸が引っ掛かり難くなり、巻き終わり端部２４の剥がれ防止や釣糸の絡み防止を図る上で好都合となる。
【００６５】
さらに、本体２１が把持部よりも大きな摩擦抵抗を有していれば、本体２１が滑り止めとしての機能を果たす。よって、投竿１や魚釣用リール１１の操作を円滑に行なうことができる。
【００６６】
なお、本発明は上記第１の実施の形態に特定されるものではなく、発明の主旨を逸脱しない範囲内で種々変更して実施可能である。
【００６７】
例えば、上記第１の実施の形態では、第１および第２の係合部を夫々面ファスナーで構成したが、被覆体の着脱の頻度が少ない場合は、第１および第２の係合部として粘着テープを用いてもよい。さらに、第１の係合部および第２の係合部のいずれか一方を起毛素材で形成するとともに、他方を起毛素材に剥離可能に係合する面ファスナーで形成してもよい。
【００６８】
さらに、第１の実施の形態では、第２の係合部のベースを本体の第１の面に重ね合わせて固定している。しかしながら、本発明はこれに限らず、例えば本体の第１の側縁部にベースを突き当てて固定してもよい。
【００６９】
加えて、本体にしてもゴムやエラストマー樹脂を用いた一体成形品に特定されるものではなく、例えば弾性を有する複数の駒を連結した鎖状の構造体を用いてもよい。
【００７０】
それとともに、本体はテープ状に限らず、例えばシート状であってもよい。
【００７１】
図９は、本発明の第２の実施の形態に係る被覆具２０を開示している。
【００７２】
第２の実施の形態の被覆具２０は、本体２１の第２の面２７に複数の凸部４０を形成した点が上記第１の実施の形態と相違している。それ以外の被覆具２０の構成および把持部に対する巻き方は、基本的に第１の実施の形態と同様である。
【００７３】
図９に示すように、凸部４０は係止部の一例であり、例えば微細な半球状をなしている。凸部４０は、本体２１の第２の面２７の全面に亘って均等に分散するように配置されており、被覆具２０を巻いた把持部を手で握った時に、手のひらや指のはらに接するようになっている。
【００７４】
このような構成によれば、凸部４０の存在により本体２１の第２の面２７の摩擦係数が大きくなる。それとともに、凸部４０が手のひらや指のはらに食い込むので、凸部４０が滑り止めとしての機能を果たす。したがって、把持部をしっかりと握ることができ、投竿の操作性が向上する。
【００７５】
上記第２の実施の形態では、複数の凸部４０を本体２１の第２の面２７に形成したが、この凸部４０を本体２１の第１の面２６に形成してもよい。第１の面２６に凸部４０を形成した場合、本体２１を把持部に巻き付けた時に、凸部４０が把持部の外周面に押し付けられる。このため、本体２１と把持部との接触部分の摩擦抵抗が増大し、本体２１の緩みを防止できる。
【００７６】
さらに、係止部は、凸部に限らず、例えば円形の凹部であったり、凸部と凹部との組み合わせであってもよく、その形状および大きさは任意である。それとともに、凸部、凹部又は凸部と凹部との組み合わせからなる係止部を、本体２１の第１の面２６および第２の面２７の双方に形成してもよい。
【００７７】
図１０は、本発明の第３の実施の形態に係る被覆具２０を開示している。
【００７８】
第３の実施の形態の被覆具２０は、本体２１の形状が上記第１の実施の形態と相違している。本体２１は、第１の側縁部２２ａと第２の側縁部２２ｂとの間に位置する中央部５０を有している。中央部５０は、本体２１の全長および全幅に亘って厚み寸法が一定である。
【００７９】
第１および第２の側縁部２２ａ，２２ｂは、本体２１の第２の面２７に露出する部分が本体２１の幅方向外側に進むに従い第１の面２６に近づく方向に傾斜する傾斜面５１ａ，５１ｂとなっている。この傾斜面５１ａ，５１ｂの存在により、第１および第２の側縁部２２ａ，２２ｂは、本体２１の幅方向外側に進むに従い肉厚が減じられている。言い換えると、第１および第２の側縁部２２ａ，２２ｂは、中央部５０よりも薄く形成されている。
【００８０】
本体２１は、その巻き始め端部２３からグリップ４あるいはリールシート１０のような把持部に巻き始める。この際、本体２１は、真っ直ぐな第２の側縁部２２ｂを本体２１の巻き進み方向とは反対側に位置させるとともに、既に巻かれた本体２１の第１の側縁部２２ａの上に第２の側縁部２２ｂを重ね合わせた状態で把持部に巻き付けていく。
【００８１】
本体２１の全ての巻回領域Ｒ１を把持部に巻き付けた後、本体２１の固定領域Ｒ２を把持部に巻き付けるように一周させると、巻き終わり端部２４に位置する第１の係合部２９と第２の係合部３０の延出部３５とが重なり合い、延出部３５の面３５ａに位置するフック３４と第１の係合部２９の面３１ａに位置するループ３２とが互いに噛み合うように係合する。
【００８２】
よって、本体２１の巻き終わり端部２４が延出部３５に結合され、把持部に対する被覆具２０の取り付けが完了する。
【００８３】
このような第３の実施の形態によると、本体２１の第１および第２の側縁部２２ａ，２２ｂが中央部５０よりも薄く形成されているので、第１の側縁部２２ａと第２の側縁部２２ｂとの重なり部分の肉厚の増加を極力少なく抑えることができる。このため、把持部の外面に被覆具２０を巻き付けた状態においても、被覆具２０の表面が凹凸の少ない滑らかな面となる。よって、把持部を握った時の感触がよくなるとともに、把持部を握り易くなる。
【００８４】
さらに、本体２１を把持部に巻き付ける時に、第１の側縁部２２ａの傾斜面５１ａをガイドとして巻き付け作業を実行できる。このため、本体２１の巻き付け作業を容易に行うことができる。
【００８５】
加えて、図１０の（Ａ）に示すように、第２の側縁部２２ｂの傾斜面５１ｂは、本体２１の巻き終わり端部２４にまで達しているので、巻き終わり端部２４を薄くできる。このため、巻き終わり端部２４の柔軟性が増大し、巻き終わり端部２４の反り返りを防止できる。
【００８６】
上記第３の実施の形態では、第１および第２の係合部２２ａ，２２ｂの双方の厚み寸法を中央部５０よりも小さくしたが、本発明はこれに限定されない。例えば、第１および第２の係合部２２ａ，２２ｂのいずれか一方の厚み寸法を中央部５０より小さくしてもよい。
【００８７】
図１１は、本発明の第４の実施の形態に係る被覆具２０を開示している。
【００８８】
第４の実施の形態では、被覆具２０の主要部となる本体２１が伸縮性を有する柔軟な起毛素材で形成されている。本体２１の巻き終わり端部２４に位置する第１の係合部２９は、第１の実施の形態と同様の面ファスナーによって形成されている。
【００８９】
第２の係合部３０は、本体２１と一体に形成されており、本体２１の第１の側縁部２２ａから本体２１の幅方向外側に向けて張り出している。第２の係合部３０と本体２１の巻き終わり端部２４とは、互いに相似する三角形状をなしている。第２の係合部３０は、本体２１よりも厚み寸法を薄くすることが好ましい。
【００９０】
このような第４の実施の形態によると、本体２１は、その巻き始め端部２３からグリップ４あるいはリールシート１０のような把持部に巻き始める。この際、本体２１は、真っ直ぐな第２の側縁部２２ｂを本体２１の巻き進み方向とは反対側に位置させるとともに、既に巻かれた本体２１の第１の側縁部２２ａの上に第２の側縁部２２ｂを重ね合わせた状態で把持部に巻き付けていく。
【００９１】
本体２１の全ての巻回領域Ｒ１を把持部に巻き付けた後、本体２１の固定領域Ｒ２を把持部に巻き付けるように一周させると、巻き終わり端部２４に位置する第１の係合部２９が第２の係合部３０の上に重なり合い、第２の係合部３０の起毛と第１の係合部２９のループ３２とが互いに噛み合うように係合する。
【００９２】
よって、本体２１の巻き終わり端部２４が第２の係合部３０に結合され、把持部に対する被覆具２０の取り付けが完了する。
【００９３】
図１２は、本発明の第５の実施の形態に係る被覆具２０を開示している。
【００９４】
第５の実施の形態では、被覆具２０の主要部となる本体２１が伸縮性を有する柔軟な起毛素材で形成されている。本体２１の巻き終わり端部２４から巻き始め端部２３の方向に離れた位置に係合部６１が設けられている。係合部６１と巻き終わり端部２４とは、把持部に対する本体２１の一巻き分の長さに相当する距離だけ離れている。
【００９５】
係合部６１は、面ファスナーによって形成されている。面ファスナーは、シート状のベース６２と、このベース６２に設けられた複数の微細なループ６３とを備えている。ベース６２は、本体２１の第１の面２６に重ねられるとともに、例えば縫込み又は接着等の手段により本体２１に固定されている。ベース６２は、本体２１よりも厚み寸法が薄く形成されている。
【００９６】
ベース６２は、本体２１の第１の側縁部２２ａから本体２１の幅方向に沿って張り出す延出部６４を有している。延出部６４は、本体２１の第２の面２７と同じ方向を向く平坦な面６４ａを有している。上記ループ６３は、延出部６４の面６４ａに配置されている。
【００９７】
このような第５の実施の形態によると、本体２１は、その巻き始め端部２３からグリップ４あるいはリールシート１０のような把持部に巻き始める。この際、本体２１は、真っ直ぐな第２の側縁部２２ｂを本体２１の巻き進み方向とは反対側に位置させるとともに、既に巻かれた本体２１の第１の側縁部２２ａの上に第２の側縁部２２ｂを重ね合わせた状態で把持部に巻き付けていく。
【００９８】
本体２１の全ての巻回領域Ｒ１を把持部に巻き付けた後、本体２１の固定領域Ｒ２を把持部に巻き付けるように一周させると、本体２１の巻き終わり端部２４が第２の係合部３０の延出部６４の上に重なり合い、延出部６４に位置するループ６３と巻き終わり端部２４に位置する起毛とが互いに噛み合うように係合する。
【００９９】
よって、本体２１の巻き終わり端部２４が第２の係合部３０に結合され、把持部に対する被覆具２０の取り付けが完了する。
【０１００】
図１３は、本発明の第６の実施の形態に係る被覆具２０を開示している。
【０１０１】
第６の実施の形態では、被覆具２０の主要部となる本体２１が伸縮性を有する柔軟な起毛素材で形成されている。本体２１の巻き終わり端部２４に係合部７１が設けられている。係合部７１は、面ファスナーによって形成されている。
【０１０２】
面ファスナーは、シート状のベース７２と、このベース７２に設けられた複数の微細なループ７３とを備えている。ベース７２は、本体２１の第２の面２７に重ねられるとともに、例えば縫込み又は接着等の手段により本体２１に固定されている。ベース７２は、本体２１よりも厚み寸法が薄く形成されている。
【０１０３】
ベース７２は、延出部７４を有している。延出部７４は、本体２１の第２の側縁部２２ｂから本体２１の幅方向に沿って張り出すとともに、本体２１の長手方向に延びる細長い矩形状をなしている。延出部７４は、本体２１の第１の面２６と同じ方向を向く平坦な面７４ａを有している。上記ループ７３は、延出部７４の面７４ａに配置されている。
【０１０４】
このような第６の実施の形態によると、本体２１は、その巻き始め端部２３からグリップ４あるいはリールシート１０のような把持部に巻き始める。この際、本体２１は、真っ直ぐな第２の側縁部２２ｂを本体２１の巻き進み方向とは反対側に位置させるとともに、既に巻かれた本体２１の第１の側縁部２２ａの上に第２の側縁部２２ｂを重ね合わせた状態で把持部に巻き付けいく。
【０１０５】
本体２１の巻き終わり端部２４を把持部に巻き付けると、延出部７４の面７４ａが既に把持部に巻かれた本体２１の第２の面２７の上に重なり合う。これにより、延出部７４に位置するループ７３と本体２１の第２の面２７の起毛とが互いに噛み合うように係合する。
【０１０６】
よって、本体２１の巻き終わり端部２４が把持部に沿うように固定され、この把持部に対する被覆具２０の取り付けが完了する。
【０１０７】
図１４は、本発明の第７の実施の形態に係る被覆具２０を開示している。
【０１０８】
第７の実施の形態では、被覆具２０の主要部となる本体２１が例えばゴム、エラストマー樹脂のような材料で造られている。本体２１の巻き終わり端部２４に上記第６の実施の形態と同様の係合部７１が形成されている。
【０１０９】
係合部７１のベース７２は、本体２１の第１の面２６に重ねられるとともに、例えば縫込み、接着あるいは溶着等の手段により本体２１に固定されている。ベース７２の延出部７４は、本体２１の第２の側縁部２２ｂから本体２１の幅方向に張り出している。
【０１１０】
本体２１の巻き終わり端部２４から巻き始め端部２３の方向に離れた位置に他の係合部８１が設けられている。係合部７１と他の係合部８１とは、把持部に対する本体２１の一巻き分の長さに相当する距離Ｓだけ離れている。
【０１１１】
他の係合部８１は、例えば面ファスナーによって形成されている。面ファスナーは、シート状のベース８２と、このベース８２に設けられた複数の微細なフック８３とを備えている。ベース８２と上記係合部７１のベース７２とは、互いに相似する矩形状をなしている。ベース８２は、本体２１の第２の面２７に重ねられるとともに、例えば縫込み、接着あるいは溶着等の手段により本体２１に固定されている。ベース８２は、本体２１の幅内に位置するとともに、本体２１よりも厚み寸法が薄く形成されている。
【０１１２】
さらに、ベース８２は、本体２１の第２の面２７と同じ方向を向く平坦な面８２ａを有している。上記フック８３は、ベース８２の面８２ａに配置されている。
【０１１３】
このような第７の実施の形態によると、本体２１は、その巻き始め端部２３からグリップ４あるいはリールシート１０のような把持部に巻き始める。この際、本体２１は、真っ直ぐな第２の側縁部２２ｂを本体２１の巻き進み方向とは反対側に位置させるとともに、既に巻かれた本体２１の第１の側縁部２２ａの上に第２の側縁部２２ｂを重ね合わせた状態で把持部に巻き付けていく。
【０１１４】
本体２１の全ての巻回領域Ｒ１を把持部に巻き付けた後、本体２１の固定領域Ｒ２を把持部に巻き付けるように一周させると、巻き終わり端部２４に位置する係合部７１の延出部７４が他の係合部８１の上に重なり合う。これにより、係合部７１に位置するループ７３と他の係合部８１に位置するフック８３とが互いに噛み合うように係合する。
【０１１５】
よって、本体２１の巻き終わり端部２４が他の係合部８１に結合され、把持部に対する被覆具２０の取り付けが完了する。
【０１１６】
上記第７の実施の形態では、他の係合部８１を面ファスナーによって形成したが、この面ファスナーの代わりにループ７３に噛み合う多数の起毛を有する起毛素材を用いてもよい。
【０１１７】
図１５は、本発明の第８の実施の形態に係る被覆具２０を開示している。
【０１１８】
第８の実施の形態の被覆具２０は、本体２１の巻き終わり端部２４に対する第１の係合部９１の取り付け方が上記第１の実施の形態と相違している。巻き終わり端部２４は、本体２１の幅Ｌよりも狭い先端縁２４ａを有している。
【０１１９】
第１の係合部９１は、ベース９２と、このベース９２に設けられた多数の微細なループ９３とを備えている。ベース９２は、一端と他端とを有している。ベース９２の一端は、巻き終わり端部２４の先端縁２４ａと同等の幅寸法を有している。ベース９２は、一端から他端に進むに従い幅寸法が減じられており、このベース９２の他端は先細り状に尖っている。このため、第１の係合部９１のベース９２と第２の係合部３０とは、互いに相似する三角形状をなしている。
【０１２０】
ベース９２の一端は、本体２１の第１の面２６の方向から先端縁２４ａに重ねられているとともに、例えば縫込み、接着あるいは溶着等の手段により本体２１に固定されている。ベース９２は、本体２１の第１の面２６と同じ方向を向く平坦な面９２ａを有している。上記ループ９３は、ベース９２の面９２ａの上に配置されている。
【０１２１】
このような第８の実施の形態によると、本体２１は、その巻き始め端部２３からグリップ４あるいはリールシート１０のような把持部に巻き始める。この際、本体２１は、真っ直ぐな第２の側縁部２２ｂを本体２１の巻き進み方向とは反対側に位置させるとともに、既に巻かれた本体２１の第１の側縁部２２ａの上に第２の側縁部２２ｂを重ね合わせた状態で把持部に巻き付けていく。
【０１２２】
本体２１の全ての巻回領域Ｒ１を把持部に巻き付けた後、本体２１の固定領域Ｒ２を把持部に巻き付けるように一周させると、巻き終わり端部２４に位置する第１の係合部９１が第２の係合部３０の上に重なり合う。これにより、第１の係合部９１に位置するループ９３と第２の係合部３０に位置するフック３４とが互いに噛み合うように係合する。
【０１２３】
よって、本体２１の巻き終わり端部２４が第２の係合部３０に結合され、把持部に対する被覆具２０の取り付けが完了する。
【０１２４】
なお、本発明に係る被覆具は、投竿のような釣用品に限らず、例えばゴルフクラブシャフトあるいはテニス用ラケットのようなスポーツ用品にも同様に実施可能である。
【図面の簡単な説明】
【０１２５】
【図１】本発明の第１の実施の形態に係る投竿の斜視図。
【図２】本発明の第１の実施の形態において、投竿のグリップに被覆具を巻き付けた状態を示す側面図。
【図３】本発明の第１の実施の形態において、リール脚を固定したリールシートに被覆具を巻き付けた状態を示す側面図。
【図４】（Ａ)は第１の面の方向から見た本発明の第１の実施の形態に係る被覆具の平面図、（Ｂ）は本発明の第１の実施の形態に係る被覆具の側面図、（Ｃ）は第２の面の方向から見た本発明の第１の実施の形態に係る被覆具の平面図、（Ｄ）は図４（Ａ）のF4−F4線に沿う断面図。
【図５】本発明の第１の実施の形態において、被覆具の巻き始め端部をグリップに巻き付けた状態を示す側面図。
【図６】本発明の第１の実施の形態において、被覆具をグリップの途中まで巻き付けた状態を示す側面図。
【図７】本発明の第１の実施の形態において、被覆具の大部分をグリップに巻き付けた時の第１の係合部と第２の係合部との位置関係を示す側面図。
【図８】図２のF8−F8線に沿う断面図。
【図９】（Ａ）は第１の面の方向から見た本発明の第２の実施の形態に係る被覆具の平面図、（Ｂ）は本発明の第２の実施の形態に係る被覆具の側面図、（Ｃ）は第２の面の方向から見た本発明の第２の実施の形態に係る被覆具の平面図。
【図１０】（Ａ）は第１の面の方向から見た本発明の第３の実施の形態に係る被覆具の平面図、（Ｂ）は本発明の第３の実施の形態に係る被覆具の側面図、（Ｃ）は第２の面の方向から見た本発明の第３の実施の形態に係る被覆具の平面図、（Ｄ）は図１０（Ａ）のF10−F10線に沿う断面図。
【図１１】（Ａ）は第１の面の方向から見た本発明の第４の実施の形態に係る被覆具の平面図、（Ｂ）は本発明の第４の実施の形態に係る被覆具の側面図、（Ｃ）は第２の面の方向から見た本発明の第４の実施の形態に係る被覆具の平面図。
【図１２】（Ａ）は第１の面の方向から見た本発明の第５の実施の形態に係る被覆具の平面図、（Ｂ）は本発明の第５の実施の形態に係る被覆具の側面図、（Ｃ）は第２の面の方向から見た本発明の第５の実施の形態に係る被覆具の平面図。
【図１３】（Ａ）は第１の面の方向から見た本発明の第６の実施の形態に係る被覆具の平面図、（Ｂ）は本発明の第６の実施の形態に係る被覆具の側面図、（Ｃ）は第２の面の方向から見た本発明の第６の実施の形態に係る被覆具の平面図。
【図１４】（Ａ）は第１の面の方向から見た本発明の第７の実施の形態に係る被覆具の平面図、（Ｂ）は本発明の第７の実施の形態に係る被覆具の側面図、（Ｃ）は第２の面の方向から見た本発明の第７の実施の形態に係る被覆具の平面図。
【図１５】（Ａ）は第１の面の方向から見た本発明の第８の実施の形態に係る被覆具の平面図、（Ｂ）は本発明の第８の実施の形態に係る被覆具の側面図、（Ｃ）は第２の面の方向から見た本発明の第８の実施の形態に係る被覆具の平面図。
【符号の説明】
【０１２６】
１…投竿（物品）、４，１０…把持部（グリップ、リールシート）、２０…被覆具、２１…本体、２３…巻き始め端部、２４…巻き終わり端部、２９…第１の係合部、３０…第２の係合部、３５，７４…延出部、６１，７１…係合部。
【図１】
2007151411.tif 000003
【図２】
2007151411.tif 000004
【図３】
2007151411.tif 000005
【図４】
2007151411.tif 000006
【図５】
2007151411.tif 000007
【図６】
2007151411.tif 000008
【図７】
2007151411.tif 000009
【図８】
2007151411.tif 000010
【図９】
2007151411.tif 000011
【図１０】
2007151411.tif 000012
【図１１】
2007151411.tif 000013
【図１２】
2007151411.tif 000014
【図１３】
2007151411.tif 000015
【図１４】
2007151411.tif 000016
【図１５】
2007151411.tif 000017